(57)【要約】      （修正有）【課題】トラッピング処理を行う際に適切な色補正を行う画像形成装置を提供する。【解決手段】属性情報判定部２０３は、受付部２０１により受け付けた複数の画像データにより構成される印刷データに基づいて、トラッピング属性情報が付与されているか否かを各画像データ毎に判定する。色補正部２０４は、トラッピング属性情報が付与されていると判定された画像データに対して色補正を行う。トラッピング処理部２０５は、色補正が行われた画像データに対してトラッピング処理を行う。タグ情報付加部２０６は、各画像データに対して色補正されたか否かを示す情報を含むタグ情報を付加する。中間データ生成部２０７は、トラッピング処理が行われた画像データを含む印刷データに基づいて中間データを生成する。ラスタライザ１９は、中間データに基づいて画像データを描画し出力部２０９により用紙に出力する。【選択図】図３
2015036228.tif 000002
【特許請求の範囲】
【請求項１】
複数の画像データにより構成される印刷データにおいて、隣接する画像データの境界部分を重なり合わせる処理であるトラッピング処理を行うべきであることを示すトラッピング属性情報が付与されているか否かを各画像データ毎に判定する判定手段と、
前記判定手段によりトラッピング属性情報が付与されていると判定された画像データに対して色補正を行う色補正手段と、
前記色補正手段により色補正が行われた画像データに対してトラッピング処理を行う処理手段と、
前記印刷データを構成する複数の画像データそれぞれに対して、前記色補正手段により色補正が行われたか否かを示す情報を含むタグ情報を付加する付加手段と、
前記処理手段によりトラッピング処理が行われた画像データを含む印刷データに基づいて、中間データを生成する生成手段と、
を備えた画像処理部と、
前記中間データ生成手段により生成された中間データの各画像データ毎に前記タグ情報を参照して、色補正が行われていないことを示す情報を含むタグ情報が付加されている画像データに対して色補正を行い、当該色補正が行われた画像データ及び色補正が行われていることを示す情報を含むタグ情報が付加されている画像データの描画処理を行う描画処理部と、
を有する画像形成装置。
【請求項２】
前記描画処理部により描画処理が行われた画像データを出力する出力手段をさらに有する請求項１記載の画像形成装置。
【請求項３】
前記画像処理部は、前記印刷データを構成する画像データを異なる色空間に変換する色変換手段をさらに備える請求項１または２記載の画像形成装置。
【請求項４】
前記タグ情報は、各画像データの色空間を示す情報、各画像データの種別を示す情報、各画像データの色処理モードを示す情報のいずれか１つまたは複数をさらに含む請求項１から３いずれか１項記載の画像形成装置。
【発明の詳細な説明】
【技術分野】
【０００１】
本発明は、画像形成装置に関する。
【背景技術】
【０００２】
特許文献１には、印刷データを参照して、各オブジェクトの種別を判別し、判別されたオブジェクトの種別に対応する色補正を行うことが開示されている。
【０００３】
特許文献２には、印刷データに含まれる色属性に基づいて、ページ単位で色処理モードを決定して印刷装置に転送することが開示されている。
【０００４】
特許文献３には、入力されたカラー画像データに対して、入力された版ずれ予測値に応じて異なる画像処理を施すことが開示されている。
【先行技術文献】
【特許文献】
【０００５】
【特許文献１】特開平０９−１９３４７７号公報
【特許文献２】特開平１０−２８５４２１号公報
【特許文献３】特開２００４−１２２６９２号公報
【発明の開示】
【発明が解決しようとする課題】
【０００６】
本発明の目的は、画像処理部とともに描画処理部を用いて画像形成処理の高速化を図った場合でも、トラッピング処理を行う際に適切な色補正を行うことが可能な画像形成装置を提供することである。
【課題を解決するための手段】
【０００７】
請求項１に係る本発明は、複数の画像データにより構成される印刷データにおいて、隣接する画像データの境界部分を重なり合わせる処理であるトラッピング処理を行うべきであることを示すトラッピング属性情報が付与されているか否かを各画像データ毎に判定する判定手段と、
前記判定手段によりトラッピング属性情報が付与されていると判定された画像データに対して色補正を行う色補正手段と、
前記色補正手段により色補正が行われた画像データに対してトラッピング処理を行う処理手段と、
前記印刷データを構成する複数の画像データそれぞれに対して、前記色補正手段により色補正が行われたか否かを示す情報を含むタグ情報を付加する付加手段と、
前記処理手段によりトラッピング処理が行われた画像データを含む印刷データに基づいて、中間データを生成する生成手段と、
を備えた画像処理部と、
前記中間データ生成手段により生成された中間データの各画像データ毎に前記タグ情報を参照して、色補正が行われていないことを示す情報を含むタグ情報が付加されている画像データに対して色補正を行い、当該色補正が行われた画像データ及び色補正が行われていることを示す情報を含むタグ情報が付加されている画像データの描画処理を行う描画処理部と、
を有する画像形成装置である。
【０００８】
請求項２に係る本発明は、前記描画処理部により描画処理が行われた画像データを出力する出力手段をさらに有する請求項１記載の画像形成装置である。
【０００９】
請求項３に係る本発明は、前記画像処理部が、前記印刷データを構成する画像データを異なる色空間に変換する色変換手段をさらに備える請求項１または２記載の画像形成装置である。
【００１０】
請求項４に係る本発明は、前記タグ情報が、各画像データの色空間を示す情報、各画像データの種別を示す情報、各画像データの色処理モードを示す情報のいずれか１つまたは複数をさらに含む請求項１から３いずれか１項記載の画像形成装置である。
【発明の効果】
【００１１】
請求項１に係る本発明によれば、画像処理部とともに描画処理部を用いて画像形成処理の高速化を図った場合でも、トラッピング処理を行う際に適切な色補正を行うことが可能な画像形成装置を提供することができる。
【００１２】
請求項２に係る本発明によれば、請求項１に係る発明の効果に加えて、トラッピング処理を行う際に適切な色補正が行われた画像を用紙等に出力することが可能な画像形成装置を提供することができる。
【００１３】
請求項３に係る本発明によれば、請求項１または２に係る発明の効果に加えて、適切な色変換を行うことが可能な画像形成装置を提供することができる。
【００１４】
請求項４に係る本発明によれば、請求項１から３に係る発明の効果に加えて、各画像データの色空間、各画像データの種別、または各画像データの色処理モードに応じて、トラッピング処理を行う際に適切な色補正を行うことが可能な画像形成装置を提供することができる。
【図面の簡単な説明】
【００１５】
【図１】本発明の一実施形態における画像形成システムを示す図である。
【図２】本発明の一実施形態における画像形成装置２のハードウェア構成を示すブロック図である。
【図３】本発明の一実施形態における画像形成装置２の機能構成を示す図である。
【図４】本発明の一実施形態におけるトラッピング処理の一例を示す図である。
【図５】本発明の一実施形態における中間データの一例を示す図である。
【図６】本発明の一実施形態におけるタグ情報の一例を示す図である。
【図７】本発明の一実施形態におけるラスタライザ１９の構成を示すブロック図である。
【図８】本発明の一実施形態における画像形成システムの全体的な処理を示すフローチャートである。
【図９】本発明の一実施形態における中間データを生成する処理を示すフローチャートである。
【図１０】本発明の一実施形態における描画処理を示すフローチャートである。
【図１１】本発明の一実施形態における画像データに対して行う具体的な処理を説明するための図である。
【図１２】ラスタライザ１９で色補正処理を行う場合における色補正前後の画像データの色値の一例を示す図である。
【図１３】本発明の一実施形態における色補正前後の画像データの色値の一例を示す図である。
【発明を実施するための最良の形態】
【００１６】
次に、本発明の実施の形態について図面を参照して詳細に説明する。
【００１７】
図１は、本発明の一実施形態における画像形成システムを示す図である。
【００１８】
図１に示されるように、本実施形態における画像形成システムは、端末装置１と、画像形成装置２とがネットワーク３を介して相互に接続されている。
【００１９】
端末装置１は、複数の画像データにより構成される印刷データを作成し、この印刷データをネットワーク３を介して画像形成装置２に送信する。
【００２０】
画像形成装置２は、端末装置１からネットワーク３を介して送信された印刷データに基づいて、画像を用紙等に出力する。
【００２１】
次に、本実施形態における画像形成装置２のハードウェア構成について図２を参照して説明する。
【００２２】
画像形成装置２は、図２に示されるように、ＣＰＵ１１、メモリ１２、ハードディスクドライブ（ＨＤＤ）等の記憶装置１３、ネットワーク３を介して外部の装置等との間でデータの送信及び受信を行う通信インタフェース（ＩＦ）１４、タッチパネル又は液晶ディスプレイを含むユーザインタフェース（ＵＩ）装置１５、スキャナ１６、プリンタ１７、ラスタライザ１９を有する。これらの構成要素は、制御バス１８を介して互いに接続されている。
【００２３】
ＣＰＵ１１は、メモリ１２または記憶装置１３に格納された制御プログラムに基づいて所定の処理を実行して、画像形成装置２の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２４】
図３は、ＣＰＵ１１によりメモリ１２または記憶装置１３に格納された制御プログラムが実行されることにより実現される画像形成装置２の機能構成を示す図である。
【００２５】
図３に示されるように、本実施形態における画像形成装置２は、デコンポーザ２Ａ（画像処理部）と、記憶部２０８と、出力部２０９とにより構成される。
【００２６】
また、デコンポーザ２Ａは、受付部２０１と、色変換部２０２と、属性情報判定部２０３と、色補正部２０４と、トラッピング処理部２０５と、タグ情報付加部２０６と、中間データ生成部２０７とにより構成される。
【００２７】
また、本実施形態における画像形成装置２は、ＣＰＵ１１によって制御プログラムが実行されることによりソフトウェアとして機能するデコンポーザ２Ａにおける負荷を軽減して画像処理の高速化を図るために、描画処理を行うために専用に設計されたハードウェアであるラスタライザ１９（描画処理部）をハードウェアアクセラレータとして用いて画像処理を分散して行う。
【００２８】
受付部２０１は、端末装置１から送信された複数の画像データにより構成される印刷データを受け付ける。
【００２９】
色変換部２０２は、受付部２０１により受け付けられた印刷データを構成する画像データを異なる色空間に変換する。例えば、受付部２０１により受け付けられた印刷データに含まれる画像データがＲＧＢ色空間により表現される場合に、この画像データに対してＣＭＹＫ色空間により表現されるよう色変換する。
【００３０】
属性情報判定部２０３は、受付部２０１により受け付けられた印刷データにおいて、隣接する画像データの境界部分を重なり合わせる処理であるトラッピング処理を行うべきであることを示すトラッピング属性情報が付与されているか否かを各画像データ毎に判定する。
【００３１】
色補正部２０４は、属性情報判定部２０３によりトラッピング属性情報が付与されていると判定された画像データに対して色補正を行う。
【００３２】
トラッピング処理部２０５は、色補正部２０４により補正された画像データに対してトラッピング処理を行う。なお、トラッピング処理の具体的な内容については後述する。
【００３３】
タグ情報付加部２０６は、印刷データを構成する複数の画像データそれぞれに対して、色補正部２０４により色補正が行われたか否かを示す情報を含むタグ情報を付加する。
【００３４】
中間データ生成部２０７は、トラッピング処理部２０５によりトラッピング処理が行われた画像データを含む印刷データに基づいて、中間データを生成する。
【００３５】
記憶部２０８は、中間データ生成部２０７により生成された中間データを記憶する。
【００３６】
そして、ラスタライザ１９は、記憶部２０８に記憶された中間データに基づいて画像の描画処理を行い、描画した画像を出力部２０９により出力する。なお、ラスタライザ１９の詳細な構成については後述する。
【００３７】
出力部２０９は、ラスタライザ１９により描画された画像を用紙に出力する。
【００３８】
次に、本実施形態におけるトラッピング処理の一例及びデコンポーザ２Ａおいて中間データを生成するまでの処理の一例を図４〜図６を参照して詳細に説明する。
【００３９】
まず、図４（Ａ）に示されるように、端末装置１において、隣接する画像データである背面画像１０１及び前面画像１０２と、通常画像１０３とにより構成される印刷データが作成される。この時、端末装置１において、ユーザの操作等により、背面画像１０１と前面画像１０２に対して、トラッピング処理を行う旨の指示が入力される。
【００４０】
そして、端末装置１において、トラッピング処理を行う対象となった背面画像１０１及び前面画像１０２に対してトラッピング処理を行うべきであることを示すトラッピング属性情報が付与される。
【００４１】
そして、属性情報判定部２０３によりトラッピング属性情報が付与されていると判定された背面画像１０１及び前面画像１０２に対して、色補正部２０４により色補正が行われた後、トラッピング処理部２０５は、図４（Ｂ）に示されるように、背面画像１０１と前面画像１０２との境界部分を重なり合わせる処理を実行する。本実施形態においては、トラッピング処理部２０５は、背面画像１０１の色と前面画像１０２の色とを足し合わせた色のトラッピングオブジェクト１０４を、背面画像１０１と前面画像１０２との境界部分に配置する。なお、本実施形態においては、このようなトラッピング処理部２０５における処理をトラッピング処理として説明する。
【００４２】
そして、タグ情報付加部２０６は、上記のようにしてトラッピング処理が行われた各画像データに対して色補正が行われていることを示す情報を含むタグ情報を付加する。
【００４３】
次に、中間データ生成部２０７は、図５に示すような中間データを生成する。具体的には、中間データ生成部２０７は、印刷データに基づいて、それぞれの画像データ毎に、何版分のデータであるかを示す版情報と、付加されたタグ情報と、画像データの形状を示す形状情報と、画像データの色情報と、画像データの範囲を示す範囲情報とを含む中間データを生成する。
【００４４】
なお、通常画像１０４については、端末装置１において、トラッピング属性情報が付与されていないため、色補正部２０４による色補正を行わずに、タグ情報付加部２０６により色補正が行われていないことを示す情報を含むタグ情報が付加される。
【００４５】
また、本実施形態におけるタグ情報として、図６に示すような画像データの色処理モードを示す情報（Ｅ）、画像データの種別を示す情報、画像データに対して色補正が行われているか否かを示す情報、画像データの色空間を示す情報をそれぞれ含む１６ビットの情報がタグ情報付加部２０６によって付加される。
【００４６】
次に、ラスタライザ１９の構成について図７を参照して詳細に説明する。
【００４７】
図７に示されるように、ラスタライザ１９は、タグ情報判定部２１０と、色補正部２１１と、描画処理部２１２とにより構成される。
【００４８】
タグ情報判定部２１０は、記憶部２０８に記憶されている中間データを取得して、取得した中間データを構成する各画像データ毎に、色補正が行われていないことを示す情報を含むタグ情報が付加されているか否かを判定する。
【００４９】
色補正部２１１は、タグ情報判定部２１０により、色補正が行われていないことを示す情報を含むタグ情報が付加されていると判定された画像データに対して色補正を行う。
【００５０】
描画部２１２は、色補正部２１１により色が補正された画像データ及びタグ情報判定部２１０により色補正が行われていることを示す情報を含むタグ情報が付加されていると判定された画像データの描画処理を行う。そして、描画部２１２は、描画処理を行った画像を出力部２０９により用紙等に出力させる。
【００５１】
次に、本実施形態における画像形成システムの全体的な処理について図８のフローチャートを参照して説明する。
【００５２】
まず、端末装置１において、複数の画像データにより構成される印刷データが作成される（ステップＳ１０１）。なお、本実施形態において、端末装置１は、ＲＧＢ色空間により表現される画像データにより構成される印刷データを作成するものとする。また、上述した通り、端末装置１においてトラッピング処理を行う画像データに対してはトラッピング属性情報が付与される。
【００５３】
次に、端末装置１は、作成した印刷データをネットワーク３を介して画像形成装置２に送信する（ステップＳ１０２）。
【００５４】
そして、画像形成装置２は、送信された印刷データに基づいて、中間データを生成する（ステップＳ１０３）。なお、中間データを生成する処理の詳細については後述する。
【００５５】
次に、ラスタライザ１９は、ステップＳ１０３において生成された中間データに基づいて描画処理を行う（ステップＳ１０４）。なお、描画処理の詳細については後述する。
【００５６】
そして、出力部２０９は、ラスタライザ１９により描画された画像を用紙に出力する（ステップＳ１０５）。
【００５７】
次に、ステップＳ１０３における中間データを生成する処理について、図９のフローチャートを参照して詳細に説明する。
【００５８】
まず、受付部２０１は、端末装置１からネットワーク３を介して送信されてきた印刷データを受け付ける（ステップＳ２０１）。
【００５９】
そして、色変換部２０２は、受付部２０１により受け付けられた印刷データを構成する画像データに対して色変換を行う（ステップＳ２０２）。
【００６０】
次に、属性情報判定部２０３は、受付部２０１により受け付けられた印刷データを構成する画像データのうち、１つの画像データを選択する（ステップＳ２０３）。
【００６１】
そして、属性情報判定部２０３は、選択された画像データにトラッピング属性情報が付与されているか否かを判定する（ステップＳ２０４）。
【００６２】
そして、選択された画像データにトラッピング属性情報が付与されていると属性情報判定部２０３により判定された場合（ステップＳ２０４においてｙｅｓ）、色補正部２０４は、トラッピング属性情報が付与されていると判定された画像データに対して色補正を行う（ステップＳ２０５）。
【００６３】
次に、トラッピング処理部２０５は、色補正部２０４により色補正が行われた画像データに対してトラッピング処理を行う（ステップＳ２０６）。
【００６４】
次に、タグ情報付加部２０６は、色補正部２０４により色補正が行われた画像データに対して、色補正が行われたことを示す情報を含むタグ情報を付加する（ステップＳ２０７）。また、タグ情報付加部２０６は、選択された画像データにトラッピング属性情報が付与されていないと属性判定部２０３により判定された場合（ステップＳ２０３においてｎｏ）には、色補正が行われていないことを示す情報を含むタグ情報を付加する。
【００６５】
そして、受付部２０１により受け付けられた印刷データを構成する画像データのうち、未選択の画像データがある場合にはステップＳ２０３に戻って上記処理を繰り返す。また、全ての画像データを選択済みの場合には、ステップＳ２０９に進む（ステップＳ２０８）。
【００６６】
そして、全ての画像データを選択済みの場合に（ステップＳ２０８においてｎｏ）、中間データ生成部２０７は、トラッピング処理部２０５によりトラッピング処理が行われた画像データを含む印刷データに基づいて、中間データを生成して、記憶部２０８に生成した中間データを記憶させる（ステップＳ２０９）。
【００６７】
次に、ステップＳ１０４における描画処理について図１０のフローチャートを参照して詳細に説明する。
【００６８】
まず、タグ情報判定部２１０は、記憶部２０８に記憶されている中間データを取得する（ステップＳ３０１）。
【００６９】
そして、タグ情報判定部２１０は、取得した中間データに含まれる画像データからタグ情報を参照する対象となる画像データを選択する（ステップＳ３０２）。
【００７０】
次に、タグ情報判定部２１０は、選択された画像データに付加されているタグ情報を参照して、色補正が行われていることを示す情報を含むタグ情報が付加されているか否かを判定する（ステップＳ３０３）。
【００７１】
そして、選択された画像データのタグ情報に、色補正が行われていることを示す情報が含まれているとタグ情報判定部２１０により判定された場合（ステップＳ３０３においてｙｅｓ）、ステップＳ３０５に進む。
【００７２】
また、選択された画像データのタグ情報に、色補正が行われていないことを示す情報が含まれているとタグ情報判定部２１０により判定された場合（ステップＳ３０３においてｎｏ）、色補正部２１１は、選択された画像データに対して色補正を行う（ステップＳ３０４）。
【００７３】
そして、中間データにおいて未選択の画像データがあるか否かを判定し（ステップＳ３０５）、中間データにおいて未選択の画像データがある場合には（ステップＳ３０５においてｙｅｓ）、ステップＳ３０２に戻り、上記処理を繰り返す。
【００７４】
そして、中間データにおいて未選択の画像データがない場合には（ステップＳ３０５においてｎｏ）、描画部２１２は、色補正部２１１により色補正が行われた画像データ及びタグ情報判定部２１０により色補正が行われていることを示す情報を含むタグ情報が付加されていると判定された画像データの描画処理を行う（ステップＳ３０６）。
【００７５】
次に、上記で説明した画像形成装置２の処理の具体例を図１１〜図１３を参照して詳細に説明する。
【００７６】
まず、本実施形態における画像形成装置２の処理の具体例を説明する前に、本発明の構成を有さずに、トラッピング処理を行う際にハードウェアアクセラレータを用いて画像処理を行う場合について説明する。
【００７７】
まず、中間データを生成するデコンポーザ２Ａと、ハードウェアアクセラレータとしてのラスタライザ１９とを用いて画像処理を行う際に、印刷データに含まれる画像データ対してトラッピング処理を行う場合には、デコンポーザ２Ａによって中間データを生成する前にトラッピング処理を行う必要がある。
【００７８】
また、色補正処理は負荷が大きいため、デコンポーザ２Ａおいて色補正処理を行うよりも、ラスタライザ１９において色補正処理を行うように画像処理を分散させることが望ましい。
【００７９】
次に、図１１（Ａ）に示すように、デコンポーザ２Ａにおいて色補正処理を行わずにトラッピング処理を行った後、ラスタライザ１９で色補正処理を行う場合について説明する。
【００８０】
図１１（Ａ）に示すような順序で処理を行う場合、例えば、図１２（Ａ）に示すように、デコンポーザ２Ａにおいてトラッピング処理が行われた時点で、補正前の背面画像１０１の色値（Ｃ１、Ｍ１、Ｙ１、Ｋ１）を（１００、０、０、０）、補正前の前面画像１０２の色値（Ｃ２、Ｍ２、Ｙ２、Ｋ２）を（０、１００、０、０）とする。そして、デコンポーザ２Ａにおいて、背面画像１０１及び前面画像１０２の色値を足し合わせた色値（１００、１００、０、０）であるトラッピングオブジェクト１０４が、背面画像１０１と前面画像１０２との境界部分に配置される。
【００８１】
そして、図１２（Ｂ）に示すように、ラスタライザ１９によって色補正が行われると、色補正後の背面画像１０１の色値（８９、０、３、０）と色補正後の前面画像１０２の色値（０、９７、１、０）とを足し合わせた色とは異なる色値（９４、７９、０、０）のトラッピングオブジェクト１０４が描画されてしまう。これは、画像データに対して色補正を行う場合、補正前の色値と対応する他の色値に置き換えられるように色補正が行われており、例えば、Ｃ、Ｍ、Ｙが同じ値だとしても、Ｋの値が異なれば、補正後のＣ、Ｍ、Ｙの値も異なることになるためである。
【００８２】
上記のような弊害があるため、ハードウェアアクセラレータを用いて印刷データに含まれる画像データに対してトラッピング処理を行う場合には、トラッピング処理を行う対象の画像データに対しては、トラッピング処理を行う前に色補正を行う必要がある。しかし、デコンポーザ２Ａにおいて、印刷データを構成する画像データそれぞれに対する色補正を行うと、デコンポーザ２Ａの負荷が大きくなってしまい、画像処理全体の処理速度が低下してしまう。
【００８３】
次に、本実施形態における画像形成装置２の処理の具体例を説明する。
【００８４】
図１１（Ｂ）に示す通り、本実施形態においては、デコンポーザ２Ａにおいてトラッピング処理の対象となる画像データのみ色補正を行ってからトラッピング処理を行うようにしている。
【００８５】
例えば、図１３（Ａ）に示すように、背面画像１０１の色値（Ｃ１、Ｍ１、Ｙ１、Ｋ１）が（１００、０、０、０）であり、前面画像１０２の色値（Ｃ２、Ｍ２、Ｙ２、Ｋ２）が（０、１００、０、０）である場合、背面画像１０１及び前面画像に対して色補正を行うと、補正後の背面画像１０１の色値は（８９、０、３、０）であり、補正後の前面画像１０２の色値は（０、９７、１、０）となる。
【００８６】
上記のようにして色補正が行われた後、図１３（Ｂ）に示すように、デコンポーザ２Ａにおいて、補正後の背面画像１０１の色値と補正後の前面画像１０２とを足し合わせた色値（８９、９７、３、０）のトラッピングオブジェクト１０４が背面画像１０１と前面画像１０２との境界部分に配置される。
【００８７】
そして、上記のようなトラッピング処理後に生成された中間データに基づいて、ラスタライザ１９により、色補正が行われていない画像データに対して色補正処理が行われた後に描画処理が行われる。
【００８８】
上記で説明した通り、本実施形態においては、デコンポーザ２Ａにおいて、トラッピング処理を行う対象となる画像データのみに対して色補正を行ってからトラッピング処理を行い、ラスタライザ１９における色補正はトラッピング処理を行う対象以外の画像データに対して行うようにしている。そのため、本実施形態においては、ラスタライザ１９により描画されるトラッピングオブジェクト１０４が、背面画像１０１の色と前面画像１０２の色とを足し合わせた色で描画される。
【００８９】
また、本実施形態においては、トラッピング処理を行わない画像データについてはラスタライザ１９によって色補正が行われるため、デコンポーザ２Ａの負荷が軽減される。
【００９０】
なお、本実施形態においては、端末装置１においてＲＧＢ色空間によって表現される画像データにより構成される印刷データを作成するものとして説明したが、端末装置１においてＣＭＹＫ色空間によって表現される画像データにより構成される印刷データを作成するようにしてもよい。この場合には、デコンポーザ２Ａの色変換部２０２が行う色変換処理を省略するようにしてもよい。
【００９１】
また、本実施形態においては、タグ情報において、画像データの色処理モードを示す情報、画像データの種別を示す情報、タグ情報に画像データの色空間を示す情報が含まれるものとして説明したが、上記の各情報はいずれかが含まれるものであってもよい。また、タグ情報は、画像データに対して色補正が行われているか否かを示す情報のみを含むようにしてもよい。
【符号の説明】
【００９２】
１    端末装置
２    画像形成装置
３    ネットワーク
２Ａ    デコンポーザ
１１    ＣＰＵ
１２    メモリ
１３    記憶装置
１４    通信ＩＦ
１５    ＵＩ装置
１６    スキャナ
１７    プリンタ
１８    制御バス
１９    ラスタライザ
１０１    背面画像
１０２    前面画像
１０３    通常画像
１０４    トラッピングオブジェクト
２０１    受付部
２０２    色変換部
２０３    属性情報判定部
２０４、２１１    色補正部
２０５    トラッピング処理部
２０６    タグ情報付加部
２０７    中間データ生成部
２０８    記憶部
２０９    出力部
２１０    タグ情報判定部
２１２    描画部
【図１】
2015036228.tif 000003
【図２】
2015036228.tif 000004
【図３】
2015036228.tif 000005
【図４】
2015036228.tif 000006
【図５】
2015036228.tif 000007
【図６】
2015036228.tif 000008
【図７】
2015036228.tif 000009
【図８】
2015036228.tif 000010
【図９】
2015036228.tif 000011
【図１０】
2015036228.tif 000012
【図１１】
2015036228.tif 000013
【図１２】
2015036228.tif 000014
【図１３】
2015036228.tif 000015